(57)【特許請求の範囲】
【請求項１】
固定部と、前記固定部上に設けられる複数のテストゾーンと、前記複数のテストゾーンのそれぞれにカメラモジュールを順次に案内するために動くテーブルと、前記複数のテストゾーンのうち一つ以上のテストゾーンにそれぞれ設けられるチャートとを含むカメラモジュール検査装置に使用されるテーブルティルティング確認装置であって、
前記固定部に表示される第１位置マークと、
前記第１位置マークに向かうように前記テーブルに具備される第１マーク撮影機と、
を含み、
前記固定部は、前記テーブルから下方向に離隔して置かれるメインベースと、前記メインベースに固定される第１柱部材とを含み、
前記第１位置マークは、前記第１柱部材に表示される
テーブルティルティング確認装置。
【請求項２】
前記第１位置マークまたは前記第１マーク撮影機は、
前記カメラモジュール検査装置が正常に設置された初期状態で、前記第１マーク撮影機に撮影される部分のうち第１地点に前記第１位置マークが置かれるようにその位置が定められる
請求項１に記載のテーブルティルティング確認装置。
【請求項３】
前記第１柱部材は、前記テーブルの中心を貫通する請求項１に記載のテーブルティルティング確認装置。
【請求項４】
前記第１柱部材は、前記テーブルの外周面から外側に離隔して置かれる請求項１に記載のテーブルティルティング確認装置。
【請求項５】
固定部と、前記固定部上に設けられる複数のテストゾーンと、前記複数のテストゾーンのそれぞれにカメラモジュールを順次に案内するために動くテーブルと、前記複数のテストゾーンのうち一つ以上のテストゾーンにそれぞれ設けられるチャートとを含むカメラモジュール検査装置に使用されるテーブルティルティング確認装置であって、
前記固定部に表示される第１位置マークと、
前記第１位置マークに向かうように前記テーブルに具備される第１マーク撮影機と、
を含み、
前記一つ以上のテストゾーンが第１及び第２テストゾーンを含み、前記一つ以上のチャートが前記第１テストゾーンに設けられる第１チャートと前記第２テストゾーンに設けられる第２チャートとを含む場合、
前記第１位置マークは、
前記固定部のうち前記第１テストゾーンに相応する部分に表示され、
前記テーブルティルティング確認装置は、
前記固定部のうち前記第２テストゾーンに相応する部分に表示される第２位置マークと、
前記第２位置マークに向かうように前記テーブルに具備される第２マーク撮影機と、
をさらに含む
テーブルティルティング確認装置。
【請求項６】
前記固定部は、前記テーブルから下方向に離隔して置かれるメインベースを含む請求項５に記載のテーブルティルティング確認装置。
【請求項７】
前記第１及び第２位置マークは、前記メインベースに表示される請求項６に記載のテーブルティルティング確認装置。
【請求項８】
前記固定部は、前記メインベースの一部に固定される第１柱部材をさらに含む請求項６に記載のテーブルティルティング確認装置。
【請求項９】
前記第１柱部材は、前記テーブルの中心を貫通し、前記第１及び第２位置マークは、前記第１柱部材に表示される請求項８に記載のテーブルティルティング確認装置。
【請求項１０】
前記固定部は、
前記メインベースの他部に固定される第２柱部材をさらに含み、
前記第１柱部材は、
前記テーブルの外周面から外側に離隔して置かれ、前記第１テストゾーンに相応して置かれ、
前記第２柱部材は、
前記テーブルの外周面から外側に離隔して置かれ、前記第２テストゾーンに相応して置かれ、
前記第１及び第２位置マークは、
前記第１及び第２柱部材にそれぞれ表示される
請求項８に記載のテーブルティルティング確認装置。
【請求項１１】
請求項１乃至４のいずれか一項のテーブルティルティング確認装置を利用したテーブルティルティング確認方法において、
前記カメラモジュール検査装置が正常に設置された初期状態で、前記第１マーク撮影機に撮影される部分のうち第１地点に前記第１位置マークが置かれるように前記第１マーク撮影機または前記第１位置マークを調整する段階と、
前記テーブルが第１位置から動いた後、再び前記第１位置に戻れば、前記第１位置マークを撮影するように前記第１マーク撮影機を駆動させる段階と、
前記第１マーク撮影機に撮影される部分のうち前記第１地点に前記第１位置マークが置かれるかを確認して、前記第１位置マークが前記第１地点になければ、前記テーブルが初期状態から傾いたことを確認する段階と、
を含む
テーブルティルティング確認方法。
【請求項１２】
請求項５乃至１０のいずれか一項のテーブルティルティング確認装置を利用したテーブルティルティング確認方法において、
前記カメラモジュール検査装置が正常に設置された初期状態で、前記第１マーク撮影機に撮影される部分のうち第１地点に前記第１位置マークが置かれるように前記第１マーク撮影機または前記第１位置マークを調整する段階と、
前記カメラモジュール検査装置が正常に設置された初期状態で、前記第２マーク撮影機に撮影される部分のうち第２地点に前記第２位置マークが置かれるように前記第２マーク撮影機または前記第２位置マークを調整する段階と、
前記テーブルが第１位置から動いた後、再び前記第１位置に戻れば、前記第１及び第２位置マークをそれぞれ撮影するように前記第１及び第２マーク撮影機を駆動させる段階と、
前記第１マーク撮影機に撮影される部分のうち前記第１地点に前記第１位置マークが置かれるかを確認すると共に、前記第２マーク撮影機に撮影される部分のうち前記第２地点に前記第２位置マークが置かれるかを確認して、前記第１位置マークが前記第１地点にないか、または前記第２位置マークが前記第２地点になければ、前記テーブルが初期状態から傾いたことを確認する段階と、
を含む
テーブルティルティング確認方法。
【発明の詳細な説明】
【技術分野】
【０００１】
本発明は、カメラモジュールを検査する検査装置に使用されるテーブルが初期セットされた状態で傾いたか否かを確認する装置及び方法に関する。
【背景技術】
【０００２】
携帯電話、ＰＤＡなどのような携帯用端末機は、端末機本来の機能の他に写真撮影、動画撮影などを行うためにカメラモジュールを一般的に搭載しており、高解像度及び高画質の撮影のためにカメラモジュールの性能が改善される傾向である。
【０００３】
このようなカメラモジュールは、生産工程で作動検査をするが、例えば、フォーカスの調整、解像度の検査などを通じて良否を判定する。
【０００４】
図１は、従来のカメラモジュール検査装置を概略的に示す図面である。参考として、図１は、特許文献１の図１に対応するもので、説明の便宜上、図面符号などは修正をせずそのまま表示した。
【０００５】
従来のカメラモジュール検査装置は、当該テストゾーンにカメラモジュールが置かれるようにテーブル３１を回転させた後、カメラモジュールでチャート部５０、６０を撮影し、撮影したデータを受信してフォーカスの状態を分析する過程を経る。例えば、第１テストゾーンでは、第１チャート５０を利用した固定フォーカスの調整を行い、第２テストゾーンでは、第２チャート６０を利用したオートフォーカスの駆動検査を行う。参考として、この時に使用されるチャート部の一例が図２に図示されている。ここで、図２は、一般的なチャートを概略的に示すもので、特許文献２の図１６に対応する図面である。
【０００６】
特に、テーブルに置かれたカメラモジュールのフォーカスや解像度などを検査するために使用されるチャートとの位置関係を考慮して、テーブルの位置が初期セットされる。その後、１日に１回ほどカメラモジュール検査装置を停止させてテーブルの位置が初期セット状態にあるかを確認する実情である。
【０００７】
しかし、テーブルが初期セット位置にある場合でもカメラモジュール検査装置を１日に１回ほど停止させて確認するため、生産性が下がるという問題がある。
【先行技術文献】
【特許文献】
【０００８】
【特許文献１】韓国登録特許第１０−１０７３６０４号公報
【特許文献２】韓国登録特許第１０−０８９６８０３号公報
【発明の概要】
【発明が解決しようとする課題】
【０００９】
本発明の技術的課題は、検査装置の稼動中にも初期セットされたテーブルが傾いたか否かを確認することができるテーブルティルティング確認装置及び確認方法を提供することにある。
【課題を解決するための手段】
【００１０】
上記目的を達成するために、本発明の実施例によるテーブルティルティング確認装置は、固定部と、前記固定部上に設けられる複数のテストゾーンと、前記それぞれのテストゾーンにカメラモジュールを順次に案内するために動くテーブルと、前記複数のテストゾーンのうち一つ以上のテストゾーンにそれぞれ設けられるチャートとを含むカメラモジュール検査装置に使用されるテーブルティルティング確認装置であって、前記固定部に表示される第１位置マークと、前記第１位置マークに向かうように前記テーブルに具備される第１マーク撮影機とを含む。
【００１１】
前記第１位置マークまたは前記第１マーク撮影機は、前記カメラモジュール検査装置が正常に設置された初期状態で、前記第１マーク撮影機に撮影される部分のうち第１地点に前記第１位置マークが置かれるようにその位置が定められることができる。
【００１２】
一例として、前記固定部は、前記テーブルから下方向に離隔して置かれるメインベースを含むことができる。
【００１３】
前記第１位置マークは、前記メインベースに表示されることができる。
【００１４】
他の例として、前記固定部は、前記メインベースに固定される第１柱部材をさらに含むことができる。
【００１５】
前記第１位置マークは、前記第１柱部材に表示されることができる。
【００１６】
前記第１柱部材は、前記テーブルの中心を貫通することができる。
【００１７】
また他の例として、前記第１柱部材は、前記テーブルの外周面から外側に離隔して置かれることができる。
【００１８】
一方、本発明の実施例によるテーブルティルティング確認方法は、上述した本発明の実施例によるテーブルティルティング確認装置を利用したテーブルティルティング確認方法において、前記カメラモジュール検査装置が正常に設置された初期状態で、前記第１マーク撮影機に撮影される部分のうち第１地点に前記第１位置マークが置かれるように前記第１マーク撮影機または前記第１位置マークを調整する段階と、前記テーブルが第１位置から動いた後、再び前記第１位置に戻れば、前記第１位置マークを撮影するように前記第１マーク撮影機を駆動させる段階と、前記第１マーク撮影機に撮影される部分のうち前記第１地点に前記第１位置マークが置かれるかを確認して、前記第１位置マークが前記第１地点になければ、前記テーブルが初期状態から傾いたことを確認する段階とを含むことができる。
【００１９】
他方、前記一つ以上のテストゾーンが第１及び第２テストゾーンを含み、前記一つ以上のチャートが前記第１テストゾーンに設けられる第１チャートと前記第２テストゾーンに設けられる第２チャートとを含む場合、前記第１位置マークは、前記固定部のうち前記第１テストゾーンに相応する部分に表示することができ、上述した本発明の実施例における他のテーブルティルティング確認装置は、前記固定部のうち前記第２テストゾーンに相応する部分に表示される第２位置マークと、前記第２位置マークに向かうように前記テーブルに具備される第２マーク撮影機とをさらに含むことができる。
【００２０】
前記固定部は、前記テーブルから下方向に離隔して置かれるメインベースを含むことができる。
【００２１】
一例として、前記第１及び第２位置マークは、前記メインベースに表示できる。
【００２２】
他の例として、前記固定部は、前記メインベースの一部に固定される第１柱部材をさらに含むことができる。
【００２３】
前記第１柱部材は、前記テーブルの中心を貫通し、前記第１及び第２位置マークは、前記第１柱部材に表示されることができる。
【００２４】
また他の例として、前記固定部は、前記メインベースの他部に固定される第２柱部材をさらに含むことができ、前記第１柱部材は、前記テーブルの外周面から外側に離隔して置かれ、前記第１テストゾーンに相応して置かれることができ、前記第２柱部材は、前記テーブルの外周面で外側に離隔して置かれ、前記第２テストゾーンに相応して置かれることができ、前記第１及び第２位置マークは、前記第１及び第２柱部材にそれぞれ表示されることができる。
【００２５】
さらに他方、本発明の実施例によるテーブルティルティング確認方法は、上述した本発明の実施例によるテーブルティルティング確認装置を利用したテーブルティルティング確認方法であって、前記カメラモジュール検査装置が正常に設置された初期状態で、前記第１マーク撮影機に撮影される部分のうち第１地点に前記第１位置マークが置かれるように前記第１マーク撮影機または前記第１位置マークを調整する段階と、前記カメラモジュール検査装置が正常に設置された初期状態で、前記第２マーク撮影機に撮影される部分のうち第２地点に前記第２位置マークが置かれるように前記第２マーク撮影機または前記第２位置マークを調整する段階と、前記テーブルが第１位置から動いた後、再び前記第１位置に戻れば、前記第１及び第２位置マークをそれぞれ撮影するように前記第１及び第２マーク撮影機を駆動させる段階と、前記第１マーク撮影機に撮影される部分のうち前記第１地点に前記第１位置マークが置かれるかを確認すると共に、前記第２マーク撮影機に撮影される部分のうち前記第２地点に前記第２位置マークが置かれるかを確認して、前記第１位置マークが前記第１地点にないか、または前記第２位置マークが前記第２地点になければ、前記テーブルが初期状態から傾いたことを確認する段階とを含むことができる。
【発明の効果】
【００２６】
以上のように、本発明の実施例によるテーブルティルティング確認装置及び確認方法は、以下のような効果を有することができる。
【００２７】
本発明の実施例によると、第１位置マークと第１マーク撮影機とを含む技術構成を提供するため、カメラモジュール検査装置の稼動中にも初期セットされたテーブルが傾いたか否かを確認することができ、従来と異なり、カメラモジュール検査装置を１日１回ほど停止させて確認しなくても良く、生産性を向上できる。
【００２８】
また、本発明の実施例によると、目視ではなく、第１位置マークと第１マーク撮影機とを通じてテーブルが毎回元の位置に戻る度にテーブルが傾いたか否かを確認することができるため、従来に比べてカメラモジュール検査装置の検査精度が向上することができる。
【図面の簡単な説明】
【００２９】
【図１】従来のカメラモジュール検査装置を概略的に示す図面である。
【図２】一般的なチャートを概略的に示す図面である。
【図３】本発明の第１実施例によるテーブルティルティング確認装置を概略的に示す図面である。
【図４】本発明の第２実施例によるテーブルティルティング確認装置を概略的に示す図面である。
【図５】本発明の第３実施例によるテーブルティルティング確認装置を概略的に示す図面である。
【図６】本発明の第４実施例によるテーブルティルティング確認装置を概略的に示す図面である。
【図７】本発明の第５実施例によるテーブルティルティング確認装置を概略的に示す図面である。
【図８】本発明の第６実施例によるテーブルティルティング確認装置を概略的に示す図面である。
【発明を実施するための形態】
【００３０】
以下、添付の図面を参考として、本発明の実施例について本発明が属する技術分野で通常の知識を持った者が容易に実施することができるように詳しく説明する。しかし、本発明は、様々な異なる形態で具現することができ、ここで説明する実施例に限定されない。
【００３１】
図３は、本発明の第１実施例によるテーブルティルティング確認装置を概略的に示す図面である。
【００３２】
本発明の第１実施例によるテーブルティルティング確認装置は、カメラモジュール検査装置に使用されるテーブルティルティング確認装置であって、図３に示すように、第１位置マーク１５０と第１マーク撮影機１６０とを含むことができる。
【００３３】
カメラモジュール検査装置は、図３に示すように、固定部１１０と、固定部１１０上または上方に設けられる複数のテストゾーン１２０と、それぞれのテストゾーン１２０にカメラモジュール（図示せず）を順次に案内するために動くテーブル１３０と、複数のテストゾーン１２０のうち一つ以上のテストゾーンにそれぞれ設けられるチャート１４０とを含むことができる。さらに、一つ以上のテストゾーン１２０は、第１及び第２テストゾーン１２１、１２２を含むことができ、一つ以上のチャート１４０は、第１テストゾーン１２１に設けられる第１チャート１４１と、第２テストゾーン１２２に設けられる第２チャート１４２とを含むことができる。
【００３４】
従って、カメラモジュール（図示せず）がソケット（図示せず）などを通じてテーブル１３０にロードされた状態で、テーブル１３０の回転によりそれぞれのテストゾーン１２０に順次にカメラモジュールが案内されながらカメラモジュールに対する検査が行われる。参考として、図示してはいないが、テーブル１３０を回転させる技術構成は、テーブルにモータを直結するか、またはプリ−ベルトやギア結合などを通じて間接的にテーブルを回転させる等の多様な公知技術として具現することができ、本発明は、テーブルの回転に関するものではないため、その具体的な説明は省略する。
【００３５】
第１位置マーク１５０は、図３に示すように、固定部１１０に略「点」の形態で表示されることができる。第１マーク撮影機１６０は、図３に示すように、第１位置マーク１５０の周囲を撮影するために、第１位置マーク１５０に向かうようにテーブル１３０に具備されることができる。
【００３６】
従って、本発明の第１実施例によると、第１位置マーク１５０と第１マーク撮影機１６０とを含む技術構成を提供するため、カメラモジュール検査装置の稼動中にも初期セットされたテーブル１３０が傾いたか否かを確認することができ、従来と異なり、カメラモジュール検査装置を１日１回ほど停止させて確認しなくても良く、歩留まりが向上されることができる。また、本発明の第１実施例によると、目視ではなく、第１位置マーク１５０と第１マーク撮影機１６０とを通じてテーブル１３０が毎回元の位置に戻る度にテーブル１３０が傾いたか否かを確認することができるため、従来に比べてカメラモジュール検査装置の検査精度が向上することができる。
【００３７】
特に、第１位置マーク１５０または第１マーク撮影機１６０は、カメラモジュール検査装置が正常に設置された初期状態で、第１マーク撮影機１６０に撮影される部分のうち第１地点に第１位置マーク１５０が置かれるようにその位置が定められることができる。従って、以後第１マーク撮影機１６０で撮影された第１位置マーク１５０が第１地点から外れたことが分かれば、テーブル１３０が傾いたことを確認することができる。
【００３８】
さらに、固定部１１０は、図３に示すように、テーブル１３０から下方向に離隔して置かれるメインベース１１１を含むことができる。この場合、第１位置マーク１５０は、メインベース１１１の上面に表示されることができ、第１マーク撮影機１６０は、テーブル１３０の底面に具備されることができる。
【００３９】
一方、本発明の第１実施例によるテーブルティルティング確認方法は、上述した本発明の第１実施例によるテーブルティルティング確認装置を利用したテーブルティルティング確認方法であって、先ず、カメラモジュール検査装置が正常に設置された初期状態で、第１マーク撮影機１６０に撮影される部分のうち第１地点に第１位置マーク１５０が置かれるように第１マーク撮影機１６０または第１位置マーク１５０を調整する。
【００４０】
その後、テーブル１３０が第１位置から動いた後、再び第１位置に戻れば、第１位置マーク１５０を撮影するように第１マーク撮影機１６０を駆動させる。
【００４１】
その後、第１マーク撮影機１６０に撮影される部分のうち第１地点に第１位置マーク１５０が置かれるかを確認して、第１位置マーク１５０が第１地点になければ、テーブル１３０が初期状態から傾いたことを確認する。
【００４２】
さらに、テーブル１３０が傾いたことを確認した後は、作業者に警告をするか、またはカメラモジュール検査装置が自動で停止するように設定することもできる。
【００４３】
以下、図４を参照して、本発明の第２実施例によるテーブルティルティング確認装置について説明する。
【００４４】
図４は、本発明の第２実施例によるテーブルティルティング確認装置を概略的に示す図面である。
【００４５】
本発明の第２実施例によるテーブルティルティング確認装置は、図４に示すように、第２位置マーク２５０と第２マーク撮影機２６０とをさらに含むこと以外、上述した本発明の第１実施例と同一であるので、以下では、第２位置マーク２５０と第２マーク撮影機２６０を中心として説明する。
【００４６】
図４に示すように、上述した第１位置マーク１５０がメインベース１１１のうち第１チャート１４１が設けられた第１テストゾーン１２１に相応する部分に表示される場合、第２位置マーク２５０は、メインベース１１１のうち第２チャート１４２が設けられた第２テストゾーン１２２に相応する部分に表示されることができる。第２マーク撮影機２６０は、第２位置マーク２５０の周りを撮影するために、第２位置マーク２５０に向かうようにテーブル１３０に具備されることができる。
【００４７】
従って、本発明の第２実施例によると、上述した本発明の第１実施例に言及した効果と共に、第１位置マーク１５０と第１マーク撮影機１６０とが第１チャート１４１が設けられた第１テストゾーン１２１に具備され、第２位置マーク２５０と第２マーク撮影機２６０とが第２チャート１４２が設けられた第２テストゾーン１２２に具備されることにより、第１チャート１４１とこれに対向するテーブル１３０の一部分との位置関係が、第２チャート１４２とこれに対向するテーブル１３０の他部分との位置関係と異なる場合、第１位置マーク１５０と第１マーク撮影機１６０、そして第２位置マーク２５０と第２マーク撮影機２６０で、それぞれ独立して確認することができ、カメラモジュール検査装置の検査精度がさらに向上することができる。
【００４８】
一方、本発明の第２実施例によるテーブルティルティング確認方法は、上述した本発明の第２実施例によるテーブルティルティング確認装置を利用したテーブルティルティング確認方法であって、先ず、カメラモジュール検査装置が正常に設置された初期状態で、第１マーク撮影機１６０に撮影される部分のうち第１地点に第１位置マーク１５０が置かれるように第１マーク撮影機１６０または第１位置マーク１５０を調整する。以後または以前に、カメラモジュール検査装置が正常に設置された初期状態で、第２マーク撮影機２６０に撮影される部分のうち第２地点に第２位置マーク２５０が置かれるように、第２マーク撮影機２６０または第２位置マーク２５０を調整する。
【００４９】
その後、テーブル１３０が第１位置から動いた後、再び第１位置に戻れば、第１及び第２位置マーク１５０、２５０をそれぞれ撮影するように第１及び第２マーク撮影機１６０、２６０を駆動させる。
【００５０】
その後、第１マーク撮影機１６０に撮影される部分のうち第１地点に第１位置マーク１５０が置かれるかを確認すると共に、第２マーク撮影機２６０に撮影される部分のうち第２地点に第２位置マーク２５０が置かれるかを確認して、第１位置マーク１５０が第１地点にないか、または第２位置マーク２５０が第２地点になければ、テーブル１３０が初期状態から傾いたことを確認する。
【００５１】
さらに、テーブル１３０が傾いたことを確認した後は、作業者に警告をするか、またはカメラモジュール検査装置が自動で停止するように設定することもできる。
【００５２】
以下、図５を参照して、本発明の第３実施例によるテーブルティルティング確認装置について説明する。
【００５３】
図５は、本発明の第３実施例によるテーブルティルティング確認装置を概略的に示す図面である。
【００５４】
本発明の第３実施例によるテーブルティルティング確認装置は、図５に示すように、固定部３１０の構成、テーブル３３０の形状、そして第１位置マーク３５０及び第１マーク撮影機３６０の具備位置を除いては、上述した本発明の第１実施例と同一であるので、以下では、固定部３１０の構成、第１位置マーク３５０及び第１マーク撮影機３６０の具備位置を中心として説明する。
【００５５】
固定部３１０は、テーブル３３０から下方向に離隔して置かれるメインベース３１１と、該メインベース３１１に固定される第１柱部材３１２とをさらに含むことができる。特に、第１柱部材３１２は、テーブル３３０の中心を貫通して置かれることができる。この場合、第１位置マーク３５０は第１柱部材３１２に表示されることができ、第１マーク撮影機３６０はテーブル３３０の上面に具備されることができる。もちろん、図示してはいないが、第１位置マーク３５０が第１柱部材３１２のうちメインベース３１１とテーブル３３０との間に表示される場合、第１マーク撮影機３６０は、テーブル３３０の底面に具備されることができる。
【００５６】
従って、本発明の第３実施例によると、上述した本発明の第１実施例に言及された効果と共に、メインベース３１１とテーブル３３０との間の空間が狭い場合、テーブル３３０の位置を高くする構造の変更をせずとも使用することができる。
【００５７】
以下、図６を参照して、本発明の第４実施例によるテーブルティルティング確認装置について説明する。
【００５８】
図６は、本発明の第４実施例によるテーブルティルティング確認装置を概略的に示す図面である。
【００５９】
本発明の第４実施例によるテーブルティルティング確認装置は、図６に示すように、第２位置マーク４５０と第２マーク撮影機４６０とをさらに含むこと以外、上述した本発明の第３実施例と同一であるので、以下では、第２位置マーク４５０と第２マーク撮影機４６０を中心として説明する。
【００６０】
図６に示すように、上述した第１位置マーク３５０が第１柱部材３１２のうち第１チャート１４１が設けられた第１テストゾーン１２１に相応する部分に表示される場合、第２位置マーク４５０は、第１柱部材３１２のうち第２チャート１４２が設けられた第２テストゾーン１２２に相応する部分に表示されることができる。第２マーク撮影機４６０は、第２位置マーク４５０の周りを撮影するために、第２位置マーク４５０に向かうようにテーブル３３０に具備されることができる。
【００６１】
従って、本発明の第２実施例によると、上述した本発明の第３実施例に言及された効果と共に、第１位置マーク３５０と第１マーク撮影機３６０とが第１チャート１４１が設けられた第１テストゾーン１２１に具備され、第２位置マーク４５０と第２マーク撮影機４６０とが第２チャート１４２が設けられた第２テストゾーン１２２に具備されることにより、第１チャート１４１とこれに対向するテーブル３３０の一部分との位置関係が第２チャート１４２とこれに対向するテーブル３３０の他部分との位置関係と互いに異なる場合、第１位置マーク３５０と第１マーク撮影機３６０、そして第２位置マーク４５０と第２マーク撮影機４６０でそれぞれ独立して確認することができ、カメラモジュール検査装置の検査精度がさらに向上することができる。
【００６２】
以下、図７を参照して、本発明の第５実施例によるテーブルティルティング確認装置について説明する。
【００６３】
図７は、本発明の第５実施例によるテーブルティルティング確認装置を概略的に示す図面である。
【００６４】
本発明の第５実施例によるテーブルティルティング確認装置は、図７に示すように、固定部５１０の構成、そして第１位置マーク５５０及び第１マーク撮影機５６０の具備位置以外、上述した本発明の第１実施例と同一であるので、以下では、固定部５１０の構成、そして第１位置マーク５５０及び第１マーク撮影機５６０の具備位置を中心として説明する。
【００６５】
固定部は、テーブル１３０から下方向に離隔して置かれるメインベース５１１と、該メインベース５１１に固定される第１柱部材５１２とをさらに含むことができる。特に、第１柱部材５１２は、テーブル１３０の外周面から外側に離隔して置かれることができる。この場合、第１位置マーク５５０は第１柱部材５１２に表示されることができ、第１マーク撮影機５６０はテーブル１３０の上面に具備されることができる。もちろん、図示してはいないが、第１位置マークが第１柱部材のうちメインベースとテーブルとの間に表示される場合、第１マーク撮影機はテーブルの底面に具備されることができる。
【００６６】
従って、本発明の第５実施例によると、上述した本発明の第１実施例に言及された効果と共に、メインベース５１１とテーブル１３０との間の空間が狭い場合、テーブル１３０の位置を高くする構造変更をせずとも使用することができる。また、テーブル１３０を回転させるために、テーブル１３０の中心にモーター（図示せず）が直結するタイプにも適用することができる。
【００６７】
以下、図８を参照して、本発明の第６実施例によるテーブルティルティング確認装置について説明する。
【００６８】
図８は、本発明の第６実施例によるテーブルティルティング確認装置を概略的に示す図面である。
【００６９】
本発明の第６実施例によるテーブルティルティング確認装置は、図８に示すように、第２柱部材６１０、第２位置マーク６５０、そして第２マーク撮影機６６０をさらに含むこと以外、上述した本発明の第５実施例と同一であるので、以下では、第２柱部材６１０、第２位置マーク６５０、そして第２マーク撮影機６６０を中心として説明する。
【００７０】
図８に示すように、上述した第１柱部材５１２が第１チャート１４１が設けられた第１テストゾーン１２１に相応する部分に具備される場合、第２柱部材６１０は、第２チャート１４２が設けられた第２テストゾーン１２２に相応する部分に具備されることができる。
【００７１】
上述した第１位置マーク５５０が第１柱部材５１２に第１マーク撮影機５６０に向かって表示される場合、第２位置マーク６５０は、第２柱部材６１０に第２マーク撮影機６６０に向かって表示されることができる。
【００７２】
第２マーク撮影機６６０は、第２位置マーク６５０の周りを撮影するために、第２位置マーク６５０に向かうようにテーブル１３０に具備されることができる。
【００７３】
従って、本発明の第６実施例によると、上述した本発明の第５実施例に言及された効果と共に、第１位置マーク５５０と第１マーク撮影機５６０とが第１チャート１４１が設けられた第１テストゾーン１２１に具備され、第２位置マーク６５０と第２マーク撮影機６６０とが第２チャート１４２が設けられた第２テストゾーン１２２に具備されることにより、第１チャート１４１とこれに対向するテーブル１３０の一部分との位置関係と第２チャート１４２とこれに対向するテーブル１３０の他部分との位置関係が互いに異なる場合、第１位置マーク５５０と第１マーク撮影機５６０、そして第２位置マーク６５０と第２マーク撮影機６６０でそれぞれ独立して確認することができ、カメラモジュール検査装置の検査精度がさらに向上することができる。
【００７４】
以上のように、本発明の実施例によるテーブルティルティング確認装置及び確認方法は、以下のような効果を有することができる。
【００７５】
本発明の実施例によると、第１位置マーク１５０、３５０、５５０と第１マーク撮影機１６０、３６０、５６０を含む技術構成を提供するため、カメラモジュール検査装置の稼動中にも初期セットされたテーブル１３０、３３０が傾いたか否かを確認することができ、従来と異なり、カメラモジュール検査装置を１日１回ほど停止させて確認しなくても良く、生産性が向上できる。
【００７６】
また、本発明の実施例によると、目視ではなく、第１位置マーク１５０、３５０、５５０と第１マーク撮影機１６０、３６０、５６０を通じてテーブル１３０、３３０が毎回元の位置に戻る度に、テーブル１３０、３３０が傾いたか否かを確認することができるため、従来に比べてカメラモジュール検査装置の検査精度が向上することができる。
【００７７】
以上で本発明の好ましい実施例について詳しく説明したが、本発明の権利範囲は、これに限定されるものではなく、以下の請求の範囲で定義する本発明の基本概念を利用した当業者の様々な変形及び改良形態も本発明の権利範囲に属するものである。
【符号の説明】
【００７８】
１１０…固定部、１１１…メインベース、１２０…テストゾーン、１３０…テーブル、１４０…チャート、１５０…第１位置マーク、１６０…第１位置マーク撮影機。
【図１】
0006427219.tif 000002
【図２】
0006427219.tif 000003
【図３】
0006427219.tif 000004
【図４】
0006427219.tif 000005
【図５】
0006427219.tif 000006
【図６】
0006427219.tif 000007
【図７】
0006427219.tif 000008
【図８】
0006427219.tif 000009